【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  外部端子に接続されている装置の少なくとも種別情報や識別情報などの装置情報を取得する装置情報取得手段と、少なくとも前記装置情報取得手段で取得した前記装置情報を記憶する装置情報記憶手段と、送信要求が発生した場合の送信情報送信先を記憶する送信先記憶手段と、前記装置情報記憶手段に記憶されている装置をユーザーに提示する装置提示手段と、提示された装置の使用優先順位をユーザーが設定する設定手段と、ユーザーが設定した使用優先順位を記憶する優先順位記憶手段と、送信要求が発生する予定日時を示す情報を記憶する送信日時記憶手段と、前記優先順位記憶手段で記憶している通信装置の使用優先順位と前記装置情報取得手段で取得する種別情報や識別情報に応じて前記送信情報送信先を送信先記憶手段に記憶し、前記送信日時記憶手段に記憶されている送信予定日時情報を前記送信情報送信先であって外部端子に接続されている装置に出力する制御手段とを備えた通信装置。
【請求項２】  外部端子に接続されている装置の少なくとも種別情報や識別情報などの装置情報を取得する装置情報取得手段と、外部端子に接続される装置の挿抜を検出する挿抜検出手段と、少なくとも前記装置情報取得手段で取得した前記装置情報を記憶する装置情報記憶手段と、送信要求が発生した場合の送信情報送信先を記憶する送信先記憶手段と、前記装置情報記憶手段に記憶されている装置をユーザーに提示する装置提示手段と、提示された装置の使用優先順位をユーザーが設定する設定手段と、ユーザーが設定した使用優先順位を記憶する優先順位記憶手段と、前記挿抜検出手段による検出後に前記装置情報取得手段が取得する種別情報や識別情報を参考にして認識する装置の中で最も使用優先順位の高い装置を前記送信情報送信先に設定するとともに前記装置情報記憶手段に記憶されていない装置を認識した場合前記装置情報記憶手段の内容を更新し前記装置提示手段は更新された前記装置情報記憶手段の内容を提示しユーザーが設定する使用優先順位に前記優先順位記憶手段の内容を更新する制御手段とを備えた通信装置。
【請求項３】  前記送信日時記憶手段に記憶している前記予定日時をユーザーに提示する送信日時提示手段とを備えた請求項１記載の通信装置。
【請求項４】  前記送信日時記憶手段に記憶されている予定日時に発生する送信要求で送信予定である予定送信情報を記憶する予定送信情報記憶手段を備え、前記制御手段は前記予定日時以前においても前記予定送信情報記憶手段に記憶されている予定送信情報を前記送信情報送信先であって外部端子に接続されている装置に出力することを特徴とする請求項３記載の通信装置。
【請求項５】  前記使用優先順位の設定は装置情報記憶手段に記憶されている通信装置の無効を設定する設定手段を備えた請求項１乃至請求項４のいずれかに記載の通信装置。
【請求項６】  接続される通信装置より送信要求を発生する予定日時を示す送信日時情報を取得する送信日時情報取得手段と、取得した前記送信日時情報を記憶する送信日時情報記憶手段と、送信日時情報記憶手段に記憶されている前記予定日時をユーザーに提示する日時提示手段とを備えた携帯型通信装置または携帯型通信装置と接続するアダプター装置。
【請求項７】  接続される通信装置より前記予定日時に発生する送信要求で送信予定である予定送信情報を取得する予定送信情報取得手段と、取得した予定送信情報を記憶する取得予定送信情報記憶手段と、前記予定日時において前記通信装置より送信要求が無かった場合、前記予定送信情報記憶手段に記憶されている予定送信情報を自ら送信要求を発生させ送信する制御手段とを備えた請求項６記載の携帯型通信装置。
【請求項８】  前記通信装置はデジタル放送受信機であり前記送信要求は視聴履歴情報送信要求であり前記予定日時は視聴履歴情報送信予定日時である請求項１記載の通信装置。
【請求項９】  前記通信装置はデジタル放送受信機であり前記送信要求は視聴履歴情報送信要求であり前記予定日時は視聴履歴情報送信予定日時であり前記予定送信情報は視聴履歴情報である請求項４または請求項５記載の通信装置。
【手続補正２】
【補正対象書類名】明細書
【補正対象項目名】００４６
【補正方法】変更
【補正の内容】
【００４６】
【課題を解決するための手段】第１の発明（請求項１に対応）は、外部端子に接続されている装置の少なくとも種別情報や識別情報を取得する装置情報取得手段と、少なくとも前記装置情報取得手段で取得した前記情報を記憶する装置情報記憶手段と、送信要求が発生した場合の送信情報送信先を記憶する送信先記憶手段と、前記装置情報記憶手段に記憶されている装置をユーザーに提示する装置提示手段と、提示された装置の使用優先順位をユーザーが設定する設定手段と、ユーザーが設定した使用優先順位を記憶する優先順位記憶手段と、送信要求が発生する予定日時を示す情報を記憶する送信日時記憶手段と、前記優先順位記憶手段で記憶している通信装置の使用優先順位と前記装置情報取得手段で取得する種別情報や識別情報に応じて前記送信情報送信先を送信先記憶手段に記憶し、前記送信日時記憶手段に記憶されている送信予定日時情報を前記送信情報送信先であって外部端子に接続されている装置に出力する制御手段とを備えるを特徴とする通信装置である。
【手続補正３】
【補正対象書類名】明細書
【補正対象項目名】００４８
【補正方法】削除
【補正の内容】
【手続補正４】
【補正対象書類名】明細書
【補正対象項目名】００４９
【補正方法】変更
【補正の内容】
【００４９】
第３の発明（請求項３に対応）は、前記送信日時記憶手段に記憶している前記予定日時をユーザーに提示する送信日時提示手段とを備えることを特徴とする通信装置である。
【手続補正５】
【補正対象書類名】明細書
【補正対象項目名】００５０
【補正方法】変更
【補正の内容】
【００５０】
第４の発明（請求項４に対応）は、前記送信日時記憶手段に記憶されている予定日時に発生する送信要求で送信予定である予定送信情報を記憶する予定送信情報記憶手段を備え、前記制御手段は、前記予定日時以前においても前記予定送信情報記憶手段に記憶されている予定送信情報を前記送信情報送信先であって外部端子に接続されている装置に出力することを特徴とする通信装置である。
【手続補正６】
【補正対象書類名】明細書
【補正対象項目名】００５１
【補正方法】変更
【補正の内容】
【００５１】
第５の発明（請求項５に対応）は、前記使用優先順位の設定は装置情報記憶手段に記憶されている通信装置の無効を設定する設定手段を備えることを特徴とする通信装置である。
【手続補正７】
【補正対象書類名】明細書
【補正対象項目名】００５２
【補正方法】変更
【補正の内容】
【００５２】
第６の発明（請求項６に対応）は、接続される通信装置より送信要求を発生する予定日時を示す送信日時情報を取得する送信日時情報取得手段と、取得した前記送信日時情報を記憶する送信日時情報記憶手段と、送信日時情報記憶手段に記憶されている前記予定日時をユーザーに提示する日時提示手段とを備えることを特徴とする携帯型通信装置またはアダプター装置である。
【手続補正８】
【補正対象書類名】明細書
【補正対象項目名】００５３
【補正方法】変更
【補正の内容】
【００５３】
第７の発明（請求項７に対応）は、接続される通信装置より前記予定日時に発生する送信要求で送信予定である予定送信情報を取得する予定送信情報取得手段と、取得した予定送信情報を記憶する取得予定送信情報記憶手段と、前記予定日時において前記通信装置より送信要求が無かった場合、前記予定送信情報記憶手段に記憶されている予定送信情報を自ら送信要求を発生させ送信する制御手段とを備えることを特徴とする携帯型通信装置である。
【手続補正９】
【補正対象書類名】明細書
【補正対象項目名】００５４
【補正方法】変更
【補正の内容】
【００５４】
第８の発明（請求項８に対応）は、前記通信装置はデジタル放送受信機であり前記送信要求は視聴履歴情報送信要求であり前記予定日時は視聴履歴情報送信予定日時であることを特徴とするデジタル放送受信機である。
【手続補正１０】
【補正対象書類名】明細書
【補正対象項目名】００５５
【補正方法】変更
【補正の内容】
【００５５】
第９の発明（請求項９に対応）は、前記通信装置はデジタル放送受信機であり前記送信要求は視聴履歴情報送信要求であり前記予定日時は視聴履歴情報送信予定日時であり前記予定送信情報は視聴履歴情報であることを特徴とするデジタル放送受信機である。